(57)【要約】      （修正有）【課題】コンテンツを、ユーザの複数の装置にわたって及び他のユーザとの間で容易かつ直感的な方法で管理して共有する。【解決手段】コンテンツ管理ユーザインターフェイス（ＵＩ）が、ユーザの複数の装置にわたって一貫した外観及び動作を提供する。ユーザの装置上に存在するコンテンツを表すサムネイルを、ユーザがこれらのサムネイルをコンテンツソース及びコンテンツタイプの両方によってフィルタリングできるようにする層状フィルタリング演算子とともに表示する。【選択図】図１
2013254496.tif 000002
【特許請求の範囲】
【請求項１】
ディスプレイと、
要求された画像を表示するように前記ディスプレイを制御するプロセッサと、
前記プロセッサがアクセス可能な、命令を有するコンピュータ可読記憶媒体と、
を備え、前記命令は、前記プロセッサにより実行された時に、該プロセッサに、
各々が基本資産に関連する複数のサムネイル画像を含むユーザインターフェイス（ＵＩ）を前記ディスプレイ上に表示させ、少なくともいくつかのサムネイル画像は、該サムネイル画像上に重なり合ったカテゴリアイコンを有し、
前記ＵＩは、前記ディスプレイ上にどのサムネイルを出現させ、どれを出現させたくないかを定義するためのフィルタセレクタ要素も含み、該フィルタセレクタ要素は、前記ディスプレイ上にどのサムネイルカテゴリを表示させるかを定義するように１つを選択できるカテゴリセレクタ要素を含み、前記フィルタセレクタ要素は、選択したカテゴリセレクタ要素に加えて、それぞれの基本資産のソースに基づいてどのサムネイルを表示できるかを定義するように１つを選択できるコンテンツソースセレクタ要素も含み、これにより、複数のフィルタを使用してどのサムネイルを前記ディスプレイ上に表示されるように選択するかを選別できるようになり、前記カテゴリセレクタ要素及び前記ソースセレクタ要素によって与えられる重複するフィルタを適用することによって複数のフォルダに関連する資産が配置可能になる、
ことを特徴とする電子装置。
【請求項２】
前記カテゴリセレクタ要素は、選択時に、ソースフィルタリングに従って、全てのカテゴリが前記ＵＩ上に表示されるようにする「ａｌｌ（全部）」セレクタ要素を含む、
ことを特徴とする請求項１に記載の装置。
【請求項３】
前記カテゴリセレクタ要素は、選択時に、ソースフィルタリングに従って、新たに追加されたコンテンツを表すサムネイルのみが前記ディスプレイ上に表示されるようにする「ｎｅｗ（新規）」セレクタ要素を含む、
ことを特徴とする請求項２に記載の装置。
【請求項４】
前記カテゴリセレクタ要素は、選択時に、ソースフィルタリングに従って、写真を表すサムネイルのみが前記ディスプレイ上に表示されるようにする「ｐｉｃｔｕｒｅ（ピクチャ）」セレクタ要素、及び選択時に、ソースフィルタリングに従って、ビデオを表すサムネイルのみが前記ディスプレイ上に表示されるようにする「ｖｉｄｅｏ（ビデオ）」セレクタ要素を含む、
ことを特徴とする請求項２に記載の装置。
【請求項５】
前記カテゴリセレクタ要素は、選択時に、ソースフィルタリングに従って、音楽資産を表すサムネイルのみが前記ディスプレイ上に表示されるようにする「ｍｕｓｉｃ（音楽）」セレクタ要素を含む、
ことを特徴とする請求項２に記載の装置。
【請求項６】
前記カテゴリセレクタ要素は、選択時に、Ｅメール及び／又は文書にそれぞれ関連するサムネイルのみが前記ディスプレイ上に表示されるようにするＥメール及び／又は文書セレクタ要素を含む、
ことを特徴とする請求項２に記載の装置。
【請求項７】
前記コンテンツソースセレクタ要素は、選択時に、ＰＣ上のコンテンツに関連するサムネイルのみが前記ＵＩ内に表示されるようにするＰＣアイコン、及び選択時に、電話からのコンテンツに関連するサムネイルのみが前記ＵＩ内に表示されるようにする電話アイコンを含む、
ことを特徴とする請求項２に記載の装置。
【請求項８】
前記コンテンツソースセレクタ要素は、選択時に、ユーザのソーシャルネットワーキングページ上のコンテンツに関連するサムネイルのみが前記ＵＩ内に表示されるようにするソーシャルネットワーキングインターネットサイトアイコンを含む、
ことを特徴とする請求項７に記載の装置。
【請求項９】
前記コンテンツソースセレクタ要素は、選択時に、ビデオソースからのコンテンツに関連するサムネイルのみが前記ＵＩ内に表示されるようにするビデオソースアイコンを含む、
ことを特徴とする請求項７に記載の装置。
【請求項１０】
音楽資産を表すサムネイルに、音楽アイコンがオーバーレイされる、
ことを特徴とする請求項１に記載の装置。
【請求項１１】
ビデオ資産を表すサムネイルに、ビデオアイコンがオーバーレイされる、
ことを特徴とする請求項１に記載の装置。
【請求項１２】
写真資産を表すサムネイルには、カテゴリアイコンがオーバーレイされない、
ことを特徴とする請求項１に記載の装置。
【請求項１３】
ユーザの装置からコンテンツ資産を自動的に収集するステップと、
少なくともいくつかの資産に、フィルタリングのためのタグとして機能するようにメタデータを関連付けるステップと、
各資産のためのサムネイルを生成するステップと、
前記サムネイルをユーザインターフェイス（ＵＩ）内に表示するステップと、
前記ＵＩのセレクタ要素から受け取った信号に基づいて、前記ＵＩ内の表示からサムネイルをフィルタリングするステップと、
を含むことを特徴とする方法。
【請求項１４】
前記タグを使用して、前記ＵＩを前記セレクタ要素からの前記信号に一致させる、
ことを特徴とする請求項１３に記載の方法。
【請求項１５】
前記プロセッサは、資産内で認識された顔を、顔のデータベース、並びに上述したようなインターネットサイトから得た、及び／又は前記プロセッサがアクセスできるコンピュータ可読装置上に保持されているアドレス帳にユーザが手動で入力した電子資産とマッチさせることにより、少なくとも１つの友人の装置に前記資産を自動的に送信する、
ことを特徴とする請求項１３に記載の方法。
【請求項１６】
前記メタデータは、資産タイプ、資産名、アクセス日／作成日／保存日、及び前記資産のフォルダの場所を含む、
ことを特徴とする請求項１３に記載の方法。
【請求項１７】
前記メタデータは、前記それぞれの資産に関連する人々の名前も含む、
ことを特徴とする請求項１６に記載の方法。
【請求項１８】
前記プロセッサは、ネットワーク上の地図アプリケーションにアクセスして、前記プロセッサがアクセスできる位置情報を入力する全地球測位衛星（ＧＰＳ）受信機によって示される地理的場所に近い場所の名前を探すことにより、資産のためのメタデータを生成するとともに、前記場所から場所名を特定したことに応答して、イベントデータベースにアクセスし、前記資産が生成されたことをメタデータが示す時刻に前記場所名においてどのイベントが開催されていたかを特定する、
ことを特徴とする請求項１３に記載の方法。
【請求項１９】
前記プロセッサは、発見された地名及びイベント名が正しいかどうかを尋ねるプロンプトを前記ディスプレイ上に表示する、
ことを特徴とする請求項１８に記載の方法。
【請求項２０】
ユーザの複数の装置にわたって一貫した外観及び動作を有するコンテンツ管理ユーザインターフェイス（ＵＩ）を表示するビデオディスプレイを備え、前記ＵＩ上に、前記装置上に存在するコンテンツを表すサムネイルが、ユーザが前記サムネイルをコンテンツソース及びコンテンツタイプの両方によってフィルタリングできるようにするよう構成された層状フィルタリング演算子とともに表示される、
ことを特徴とする装置。
【発明の詳細な説明】
【技術分野】
【０００１】
本出願は、一般に、ユーザの様々なコンピュータ化された装置全体にわたって一貫した外観及び動作を示すコンテンツ管理ユーザインターフェイス（ＵＩ）に関する。
【背景技術】
【０００２】
コンピュータ化された装置のユーザは、今や多くのソースからの様々なデジタル化コンテンツを溜め込んでいる。このような個人向けコンテンツを、ユーザの複数の装置にわたって及び他のユーザとの間で容易かつ直感的な方法で管理して共有できることが望ましいが、この目的は今までのところ達成されていない。
【発明の概要】
【課題を解決するための手段】
【０００３】
従って、電子装置が、ディスプレイと、要求された画像を表示するようにディスプレイを制御するプロセッサと、プロセッサがアクセス可能な、命令を有するコンピュータ可読記憶媒体とを備え、この命令は、プロセッサにより実行された時に、このプロセッサに、各々が基本資産に関連する複数のサムネイル画像を含むユーザインターフェイス（ＵＩ）をディスプレイ上に表示させる。少なくともいくつかのサムネイル画像は、このサムネイル画像上に重なり合ったカテゴリアイコンを有する。ＵＩは、ディスプレイ上にどのサムネイルを出現させ、どれを出現させたくないかを定義するためのフィルタセレクタ要素も含む。フィルタセレクタ要素は、ディスプレイ上にどのサムネイルカテゴリを表示させるかを定義するために１つを選択できるカテゴリセレクタ要素と、この選択したカテゴリセレクタ要素に加えて、それぞれの基本資産のソースに基づいてどのサムネイルを表示できるかを定義するために１つを選択できるコンテンツソースセレクタ要素とを含む。このようにして、複数のフィルタを使用して、どのサムネイルをディスプレイ上に表示されるように選択するかを選別することができる。換言すれば、カテゴリセレクタ要素及びソースセレクタ要素によって与えられる重複するフィルタを適用することによって複数のフォルダに関連する資産が配置可能になる。
【０００４】
いくつかの実装では、カテゴリセレクタ要素が、選択時に、ソースフィルタリングに従って、全てのカテゴリがＵＩ上に表示されるようにする「ａｌｌ（全部）」セレクタ要素を含む。カテゴリセレクタ要素は、選択時に、ソースフィルタリングに従って、新たに追加されたコンテンツを表すサムネイルのみがディスプレイ上に表示されるようにする「ｎｅｗ（新規）」セレクタ要素を含むこともできる。また、カテゴリセレクタ要素は、選択時に、ソースフィルタリングに従って、写真を表すサムネイルのみがディスプレイ上に表示されるようにする「ｐｉｃｔｕｒｅ（ピクチャ）」セレクタ要素、及び選択時に、ソースフィルタリングに従って、ビデオを表すサムネイルのみがディスプレイ上に表示されるようにする「ｖｉｄｅｏ（ビデオ）」セレクタ要素を含むことができる。さらに、カテゴリセレクタ要素は、選択時に、ソースフィルタリングに従って、音楽資産を表すサムネイルのみがディスプレイ上に表示されるようにする「ｍｕｓｉｃ（音楽）」セレクタ要素を含むことができる。必要に応じて、カテゴリセレクタ要素は、選択時に、Ｅメール及び／又は文書にそれぞれ関連するサムネイルのみがディスプレイ上に表示されるようにするＥメール及び／又は文書セレクタ要素を含むこともできる。
【０００５】
一方、コンテンツソースセレクタ要素は、選択時に、ＰＣ上のコンテンツに関連するサムネイルのみがＵＩ内に表示されるようにするＰＣアイコン、及び選択時に、電話からのコンテンツに関連するサムネイルのみがＵＩ内に表示されるようにする電話アイコンを含むことができる。また、コンテンツソースセレクタ要素は、選択時に、ユーザのソーシャルネットワーキングページ上のコンテンツに関連するサムネイルのみがＵＩ内に表示されるようにするソーシャルネットワーキングインターネットサイトアイコンを含むこともできる。さらに、コンテンツソースセレクタ要素は、選択時に、ビデオソースからのコンテンツに関連するサムネイルのみがＵＩ内に表示されるようにするビデオソースアイコンを含むことができる。
【０００６】
実施形態例では、音楽資産を表すサムネイルには、音楽アイコンがオーバーレイされ、ビデオ資産を表すサムネイルには、ビデオアイコンがオーバーレイされる。一方、これらの例では、写真資産を表すサムネイルには、カテゴリアイコンがオーバーレイされない。
【０００７】
別の態様では、方法が、ユーザの装置からコンテンツ資産を自動的に収集するステップと、少なくともいくつかの資産に、フィルタリングのためのタグとして機能するようにメタデータを関連付けるステップとを含む。この方法は、各資産のためのサムネイルを生成するステップと、これらのサムネイルをユーザインターフェイス（ＵＩ）内に表示するステップと、ＵＩのセレクタ要素から受け取った信号に基づいて、ＵＩ内の表示からサムネイルをフィルタリングするステップとをさらに含む。
【０００８】
別の態様では、装置が、ユーザの複数の装置にわたって一貫した外観及び動作を有するコンテンツ管理ユーザインターフェイス（ＵＩ）を表示するビデオディスプレイを含む。このＵＩ上には、装置上に存在するコンテンツを表すサムネイルが、ユーザがこれらのサムネイルをコンテンツソース及びコンテンツタイプの両方によってフィルタリングできるようにするよう構成された層状フィルタリング演算子とともに表示される。
【０００９】
同じ参照数字が同じ部分を示す添付図面を参照することにより、本発明の詳細を、その構造及び動作の両方に関して最も良く理解することができる。
【図面の簡単な説明】
【００１０】
【図１】本原理によるシステム例を示すブロック図である。
【図２】ＵＩの様々な構成を示すスクリーンショットである。
【図３】ＵＩの様々な構成を示すスクリーンショットである。
【図４】ＵＩの様々な構成を示すスクリーンショットである。
【図５】ＵＩの様々な構成を示すスクリーンショットである。
【図６】ＵＩの様々な構成を示すスクリーンショットである。
【図７】ＵＩの様々な構成を示すスクリーンショットである。
【図８】ＵＩの様々な構成を示すスクリーンショットである。
【図９】ＵＩの様々な構成を示すスクリーンショットである。
【図１０】本原理によるロジック例のフロー図である。
【発明を実施するための形態】
【００１１】
まず図１を参照すると、インターネットに接続できるホームネットワークなどのネットワーク１２内で複数のユーザ装置が通信するシステム１０を示している。図示の例では、ユーザ装置が、パーソナルコンピュータ１４、携帯電話機１６、及びタブレットコンピュータ１８を含む。以下に限定されるわけではないが、ＴＶ、カメラ、ディスクプレーヤ、ゲームプレーヤなどの追加の装置を制限なく提供することもできる。また、ホームネットワーク１２は、ネットワーク１２のユーザの友人とすることができる人々のタブレットコンピュータ、携帯電話機などの、１又はそれ以上の友人コンピュータ装置２０と通信することもできる。
【００１２】
図示の例では、ＰＣ１４が、タッチスクリーンディスプレイとすることもできるフラットパネル型標準精細（ＳＤ）又は高精細（ＨＤ）ディスプレイなどの、ディスクベースの記憶装置及び／又は固体記憶装置及び／又はメモリゲートなどのコンピュータ可読記憶媒体２６上の命令及びデータにアクセスするプロセッサ２４によって本発明の原理を実施するように制御されるディスプレイ２２を含む。プロセッサには、全地球測位衛星システム（ＧＰＳ）受信機２８によって地理的位置情報を入力することができる。プロセッサは、以下に限定されるわけではないが、有線又は無線モデム及び無線電話送受信機などのネットワークインターフェイス３０を使用してネットワーク１２と通信することができる。プロセッサは、マウス、キーボード又はキーパッド、電話キーパッド、リモートコマンダ（ＲＣ）、マイクなどに結合された音声認識ソフトウェアなどの１又はそれ以上の入力装置３２からユーザコマンドを受け取ることができる。
【００１３】
タブレットコンピュータ１８は、タッチスクリーンディスプレイとすることもできるフラットパネル型標準精細（ＳＤ）又は高精細（ＨＤ）ディスプレイなどの、ディスクベースの記憶装置及び／又は固体記憶装置などのコンピュータ可読記憶媒体３８上の命令及びデータにアクセスするプロセッサ３６によって本発明の原理を実施するように制御されるディスプレイ３４を含む。プロセッサには、ＧＰＳ受信機４０によって地理的位置情報を入力することができる。プロセッサは、以下に限定されるわけではないが、有線又は無線モデム及び無線電話送受信機などのネットワークインターフェイス４２を使用してネットワーク１２と通信することができる。プロセッサは、マウス、キーボード又はキーパッド、電話キーパッド、リモートコマンダ（ＲＣ）、マイクなどに結合された音声認識ソフトウェアなどの１又はそれ以上の入力装置４４からユーザコマンドを受け取ることができる。
【００１４】
携帯電話１６は、タッチスクリーンディスプレイとすることもできるフラットパネル型標準精細（ＳＤ）又は高精細（ＨＤ）ディスプレイなどの、ディスクベースの記憶装置及び／又は固体記憶装置などのコンピュータ可読記憶媒体５０上の命令及びデータにアクセスするプロセッサ４８によって本発明の原理を実施するように制御されるディスプレイ４６を含む。プロセッサには、ＧＰＳ受信機５２によって地理的位置情報を入力して、例えば、カメラによって撮影した写真に撮影場所、撮影日及び撮影時間をタグ付けすることができる。プロセッサは、以下に限定されるわけではないが、有線又は無線モデム及び無線電話送受信機５６などのネットワークインターフェイス５４を使用してネットワーク１２と通信することができる。プロセッサは、マウス、キーボード又はキーパッド、電話キーパッド、リモートコマンダ（ＲＣ）、マイクなどに結合された音声認識ソフトウェアなどの１又はそれ以上の入力装置５８からユーザコマンドを受け取ることができる。
【００１５】
友人装置２０は、タッチスクリーンディスプレイとすることもできるフラットパネル型標準精細（ＳＤ）又は高精細（ＨＤ）ディスプレイなどの、ディスクベースの記憶装置及び／又は固体記憶装置などのコンピュータ可読記憶媒体６４上の命令及びデータにアクセスするプロセッサ６２によって本発明の原理を実施するように制御されるディスプレイ６０を含む。プロセッサには、ＧＰＳ受信機６６によって地理的位置情報を入力することができる。プロセッサは、以下に限定されるわけではないが、有線又は無線モデム及び無線電話送受信機などのネットワークインターフェイス６８を使用してネットワーク１２と通信することができる。プロセッサは、マウス、キーボード又はキーパッド、電話キーパッド、リモートコマンダ（ＲＣ）、マイクなどに結合された音声認識ソフトウェアなどの１又はそれ以上の入力装置７０からユーザコマンドを受け取ることができる。
【００１６】
ここで図２を参照すると、図１に示すディスプレイ２２、３４、４６、６０の全てにおいて表示できるユーザインターフェイス（ＵＩ）７２を示している。図示のように、ＵＩ７２は、複数のサムネイル画像７４を含み、これらの各々を選択すると、装置上に基本資産が表示される。図示の例では、ＵＩ７２が３行のサムネイル画像を含み、ユーザは、上述したようにディスプレイ２２のタッチスクリーン機能自体であってもよい入力装置を適当に操作することにより、これらの画像を、画面を通じて左右にスクロールさせることができる。
【００１７】
図示の例では、音楽資産を表すサムネイル画像には、音楽アイコン７６を重ね合わせることができる。音楽アイコン７６は、図示のように音符として表すことができる。対照的に、ビデオ資産を表すサムネイル画像には、ビデオアイコン７８を重ね合わせることができる。ビデオアイコン７８は、図示のようにビデオフィルムとして表すことができる。アイコン７６、７８は、関連するサムネイルの左下隅に現れることができる。一方、サムネイル７４Ａなどの写真を表すサムネイルには、カテゴリアイコンを与えなくてもよい。なお、図２では、写真、ビデオ及び音楽を表しているが、Ｅメール文書、ワープロ文書、表計算文書及びスライドショー文書などの追加のカテゴリを表すこともでき、これらの文書も、関連する特定のカテゴリ固有のカテゴリアイコンを重ね合わせたサムネイルによって同様に表すことができる。
【００１８】
また、ＵＩ７２は、どのサムネイルをディスプレイ上に出現させ、どれを出現させたくないかを定義するためのフィルタセレクタ要素を含むこともできる。図示の例では、ディスプレイ２２の左上縁に沿ってカテゴリセレクタ要素が存在し、ディスプレイ２２の左下縁に沿ってコンテンツソースセレクタ要素が存在する。このようにして、コンテンツフィルタ及びソースフィルタなどの複数のフィルタを使用して、どのサムネイルをディスプレイ上に表示されるように選択するかを選別することができる。換言すれば、資産を複数のフォルダに関連付け、カテゴリセレクタ要素及びソースセレクタ要素によって与えられる重複するフィルタを適用することによってさらに容易に配置することができる。
【００１９】
図示の特定の実施形態では、カテゴリセレクタ要素が、選択時に、後述するソースフィルタリングに従って、全てのカテゴリがＵＩ７２上に表示されるようにする「ａｌｌ（全部）」セレクタ要素８０、及び選択時に、後述するソースフィルタリングに従って、新たに（過去一週間以内など）追加されたコンテンツを表すサムネイルのみが表示されるようにする「ｎｅｗ（新規）」セレクタ要素８２を含む。また、カテゴリセレクタ要素は、選択時に、後述するソースフィルタリングに従って、写真を表すサムネイルのみが表示されるようにする「ｐｉｃｔｕｒｅ（ピクチャ）」セレクタ要素８４、及び選択時に、ソースフィルタリングに従って、ビデオを表すサムネイルのみが表示されるようにする「ｖｉｄｅｏ（ビデオ）」セレクタ要素８６も含む。さらに、カテゴリセレクタ要素は、選択時に、後述するソースフィルタリングに従って、音楽資産を表すサムネイルのみが表示されるようにする「ｍｕｓｉｃ（音楽）」セレクタ要素８８も含む。
【００２０】
一方、コンテンツソースセレクタ要素は、選択時に、上述したカテゴリセレクタ要素を使用するあらゆるカテゴリフィルタリングに従って、ＰＣ１４上のコンテンツに関連するサムネイルのみがＵＩ７２内に表示されるようにするＰＣアイコン９０を含む。同様に、コンテンツソースセレクタ要素は、選択時に、カテゴリフィルタリングに従って、電話機１６上のコンテンツに関連するサムネイルのみがＵＩ７２内に表示されるようにする電話アイコン９２を含むこともできる。同様に、コンテンツソースセレクタ要素は、選択時に、カテゴリフィルタリングに従って、ユーザのソーシャルネットワーキングページ（図示の例ではＦａｃｅｂｏｏｋ）上のコンテンツに関連するサムネイルのみがＵＩ７２内に表示されるようにするソーシャルネットワーキングインターネットサイトアイコン９４を含むこともできる。また、コンテンツソースセレクタ要素は、選択時に、カテゴリフィルタリングに従って、ビデオソース（図示の例ではＮｅｔｆｌｉｘ）からのコンテンツに関連するサムネイルのみがＵＩ７２内に表示されるようにするビデオソースアイコン９６を含むこともできる。その他のコンテンツソースを表すアイコン９８を含むこともできる。
【００２１】
図３〜図９に、上述した様々な原理を示す。図３では、ビデオカテゴリアイコン８６が選択され、これによりビデオ資産に関連するサムネイルのみがディスプレイ２２上に表示されており、この結果、各表示されたサムネイルにビデオアイコン７８がオーバーレイされている。図４では、ピクチャカテゴリアイコン８４が選択され、これにより写真資産に関連するサムネイルのみがディスプレイ２２上に表示されており、特定のソースからの、この場合にはユーザのソーシャルネットワーキングサイトページ（図示の例ではＦａｃｅｂｏｏｋ）からのコンテンツを表すサムネイル上にソースアイコン１００が重なり合っていることを除き、いずれのサムネイルにもカテゴリアイコンがオーバーレイされていない。図５には、音楽カテゴリアイコン８８が選択され、これにより音楽資産に関連するサムネイルのみがディスプレイ２２上に表示されており、各サムネイルに音楽アイコン７６がオーバーレイされている状態を示す。
【００２２】
図６では、「ａｌｌ（全部）」カテゴリセレクタ要素８０が選択されているが、ビデオソースアイコン９６が選択されて、ビデオソース（図示の例ではＮｅｔｆｌｉｘ）からのコンテンツに関連するサムネイルのみがＵＩ７２内に表示されている。これに対応して、選択されたソース、この場合にはＮｅｔｆｌｉｘからのコンテンツを表すサムネイル上にソースアイコン１０２が重なり合っている。図７及び図８には、ソーシャルネットワーキングサイト及び携帯電話機からの全てのコンテンツをそれぞれ上記の原理に従って選択した効果を示し、図９には、サムネイル１０４上にカーソルを合わせることにより、基本資産に関連するメタデータ１０６がＵＩ７２上に表示され、これらのメタデータをさらに選択して、（例えば、メタデータの全ての要素又はその何らかの所定のサブセットをマッチさせることにより）これらのメタデータに一致する資産を表すサムネイルのみをＵＩ７２上に表示できることを示している。
【００２３】
ここで図１０を参照すると、ブロック１０８において、ユーザの装置から、さらに許可が与えられれば友人装置２０からも同様にコンテンツを収集する。これを行うために、デジタルリビングネットワークアーキテクチャ（ＤＬＮＡ）原理を使用し、この中でユーザ装置１４、１６、１８は、ネットワーク１２上のコンテンツ、及びそのコンテンツに関連するメタデータを発見することができる。フィルタリングのためのタグとして機能するようにブロック１１０において資産に加えることができるメタデータは、資産タイプ、資産名、アクセス日／作成日／保存日、フォルダの場所を含むことができる。これらのメタデータは、写真上の人々の名前及び住所などの資産に関連する人々の名前、拡張ディスプレイ識別データ（ＥＤＩＤ）情報によって示される、写真を撮影した地理的位置及び時間などの資産に関連する地理的情報及び時間情報などを含むこともできる。
【００２４】
また、資産を説明するためにメタデータに資産の主題（ジムの誕生日、メアリーの卒業、モーツァルトのコンサート）を加えることなどのように、ユーザがコンテンツに手動でメタデータを加えることもできる。この主題のタグ付けも自動的に実行することができる。例えば、図１に示すＰＣプロセッサなどの収集プロセッサは、Ｇｏｏｇｌｅ  ＭａｐなどのＷｅｂ上の地図アプリケーションにアクセスして、コンテンツ生成装置のＧＰＳ受信機が示す地理的場所に近い場所の名前を探し、ある場所名が例えば劇場名又は競技場名である場合には、イベントデータベースにアクセスして、資産が生成されたことをＥＤＩＤデータが示す日付及び時刻にその場所で開催されていたイベントを特定することができる。必要であれば、発見した地名及びイベント名が正しいかどうかを尋ねるプロンプトをユーザに表示することができる。
【００２５】
同様に、写真に対して顔認識を実行し、その後ユーザのソーシャルネットワーキングサイト及びその友人のソーシャルネットワーキングサイトにアクセスして、写真内の顔を、ソーシャルネットワーキングサイト上に写真内の被写体の名前とともに表示されている可能性のある顔とマッチさせることもできる。同様に、ソーシャルネットワーキングサイト上のマッチする写真の隣から得た名前を、収集した（マッチする）写真のメタデータに追加すべきかどうかを尋ねるプロンプトをユーザに表示することもできる。俳優の写真を俳優名とともに表示するビデオサイトに関しても、同じことを実行することができる。また、ユーザのソーシャルネットワーキングサイト及びビデオソースサイトにアクセスし、これらからコンテンツをダウンロードすることにより、コンテンツを自動的に収集することもできる。
【００２６】
ブロック１１２において、重複ファイルを消去する。ファイルのメタデータが、正確に又は所定の許容範囲内でマッチする場合、或いは画像認識により、画素が閾値パーセントを超えてマッチすることが示される場合、これらのファイルは、互いに重複していると見なすことができる。必要であれば、ブロック１１４において、低解像度のビデオコーデックを通じてＨＤビデオを送信することなどにより、あらゆるＨＤビデオ資産の携帯版（小型のＳＤバージョン）を自動的に生成することができる。
【００２７】
必要に応じて、ブロック１１６において、各資産のユーザが手動で、又は画像認識機能に素肌などのルールを適用することによって自動的に、ペアレンタルコントロールを設定することができる。次に、ブロック１１８において、ビデオの最初のフレーム又は写真資産全体を縮小化することなどによって各資産のサムネイルを生成し、スクロール可能なＵＩ７２上に表示する。ブロック１２０において、上述したセレクタ要素を使用し、選択基準をブロック１１０の主題であったタグと照合して、サムネイルをフィルタリングすることができる。また、ブロック１２２において、資産内で認識された顔を、顔のデータベース、並びに上述したようなソーシャルネットワーキングサイトなどから収集した、及び／又は実行中のプロセッサがアクセスできるコンピュータ可読記憶装置上に保持されているアドレス帳にユーザが手動で入力した電子資産とマッチさせることにより、コンテンツを友人の装置と自動的に共有することもできる。
【００２８】
本明細書では、特定の「ユーザの様々な装置にわたるコンテンツ管理ユーザインターフェイス」を図示し詳細に説明したが、本発明に含まれる主題は、特許請求の範囲によってのみ限定されると理解されたい。
【図１】
2013254496.tif 000003
【図２】
2013254496.tif 000004
【図３】
2013254496.tif 000005
【図４】
2013254496.tif 000006
【図５】
2013254496.tif 000007
【図６】
2013254496.tif 000008
【図７】
2013254496.tif 000009
【図８】
2013254496.tif 000010
【図９】
2013254496.tif 000011
【図１０】
2013254496.tif 000012
【外国語明細書】
2013254496000001.pdf